(57)【要約】【課題】顧客が自動車を選ぶ際に、自動車の車種に応じて適用される自動車保険の割引等の情報を容易に得ることが可能な装備表示駒と表示ボードとの組合せを提供する。【解決手段】自動車保険の割引対象となる排気ガスの排出基準、アンチロックブレーキシステム、エアバッグ、衝突安全ボディ、盗難防止装置等の自動車の機能上の装備を表示する装備表示と磁石２０とを有する装備表示駒Ｂと、装備表示駒Ｂを設置するための割引対象装備表示駒設置欄３２と磁性紙１４とを有する表示ボードＡとを備えた。【選択図】    図１
0003103405.tif 000002
【実用新案登録請求の範囲】
【請求項１】
自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
前記装備表示駒を設置するための割引対象装備表示駒設置欄と、磁性体とを有する表示ボードと、
から構成されることを特徴とする装備表示駒と表示ボードとの組合せ。
【請求項２】
自動車保険の割引対象となる排気ガスの排出基準、アンチロックブレーキシステム、エアバッグ、衝突安全ボディ、盗難防止装置等の自動車の機能上の装備を表示する装備表示と、磁性体とを有する装備表示駒と、
前記装備表示駒を設置するための割引対象装備表示駒設置欄と、磁力とを有する表示ボードと、
から構成されることを特徴とする装備表示駒と表示ボードとの組合せ。
【請求項３】
自動車保険の割引対象となる排気ガスの排出基準、アンチロックブレーキシステム、エアバッグ、衝突安全ボディ、盗難防止装置等の自動車の機能上の装備を表示する装備表示と、該装備表示の裏面に設けた粘着面とを有する装備表示駒と、
前記装備表示駒を設置するための装備表示駒設置欄を有する表示ボードと、
から構成されることを特徴とする装備表示駒と表示ボードとの組合せ。
【請求項４】
自動車保険の割引対象となる排気ガスの排出基準、アンチロックブレーキシステム、エアバッグ、衝突安全ボディ、盗難防止装置等の自動車の機能上の装備を示す装備表示駒と、
表示ボードの土台とする硬質のボードと、前記装備表示駒を設置するための割引対象装備表示駒設置欄とを有する表示ボードと、
から構成されることを特徴とする装備表示駒と表示ボードとの組合せ。
【請求項５】
自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
前記装備表示駒を設置するための割引対象装備表示駒設置欄と、鉄系の鉱物等に代表される磁性体を織り込んだ磁性紙とを有する表示ボードと、
から構成されることを特徴とする装備表示駒と表示ボードとの組合せ。
【請求項６】
自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
表示ボードの土台とする硬質のボードと、前記装備表示駒を設置するための割引対象装備表示駒設置欄と、鉄系の鉱物等に代表される磁性体を織り込んだ磁性紙とを有する表示ボードと、
から構成されることを特徴とする装備表示駒と表示ボードとの組合せ。
【請求項７】
自動車保険又は税制の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
前記装備表示駒を設置するための割引対象装備表示駒設置欄と、税制の適用を表示する税制適用表示欄と、磁性体とを有する表示ボードと、
から構成されることを特徴とする装備表示駒と表示ボードとの組合せ。
【請求項８】
自動車保険又は税制の割引対象となる排気ガスの排出基準、アンチロックブレーキシステム、エアバッグ、衝突安全ボディ、盗難防止装置等の自動車の機能上の装備を表示する装備表示と、磁性体とを有する装備表示駒と、
前記装備表示駒を設置するための割引対象装備表示駒設置欄と、税制の適用を表示する税制適用表示欄と、磁力とを有する表示ボードと、
から構成されることを特徴とする装備表示駒と表示ボードとの組合せ。
【請求項９】
自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
前記装備表示駒を設置するための割引対象装備表示駒設置欄と、鉄系の鉱物等に代表される磁性体を織り込んだ磁性紙と、表紙用紙と磁性体とを一体化して覆うラミネート材とを有する表示ボードと、
から構成されることを特徴とする装備表示駒と表示ボードとの組合せ。
【請求項１０】
自動車保険の割引対象となる排気ガスの排出基準、アンチロックブレーキシステム、エアバッグ、衝突安全ボディ、盗難防止装置等の自動車の機能上の装備を表示する装備表示と、磁性体とを有する装備表示駒と、
前記装備表示駒を設置するための割引対象装備表示駒設置欄と、磁力と、表紙用紙と磁性体とを一体化して覆うラミネート材とを有する表示ボードと、
から構成されることを特徴とする装備表示駒と表示ボードとの組合せ。
【請求項１１】
自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
表示ボードの土台とする硬質のボードと、前記装備表示駒を設置するための割引対象装備表示駒設置欄を有する表示用紙と、鉄系の鉱物等に代表される磁性体を織り込んだ磁性紙と、前記ボードと表紙用紙と磁性体とを一体化して覆うラミネート材とを備えた表示ボードと、
から構成されることを特徴とする装備表示駒と表示ボードとの組合せ。
【請求項１２】
自動車保険の割引対象となる排気ガスの排出基準、アンチロックブレーキシステム、エアバッグ、衝突安全ボディ、盗難防止装置等の自動車の機能上の装備を表示する装備表示と、磁性体とを有する装備表示駒と、
表示ボードの土台とする硬質のボードと、前記装備表示駒を設置するための割引対象装備表示駒設置欄を有する表示用紙と、磁力と、前記ボードと表紙用紙とを一体化して覆うラミネート材とを備えた表示ボードと、
から構成されることを特徴とする装備表示駒と表示ボードとの組合せ。
【請求項１３】
第一の色に設定した装備表示駒であって、自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
前記第一の色に対する補色等の、明度又は彩度の異なる第二の色に設定した割引対象装備表示駒設置欄と、磁性体とを有する表示ボードと、
から構成されることを特徴とする装備表示駒と表示ボードとの組合せ。
【請求項１４】
第一の色に設定した装備表示駒であって、自動車保険の割引対象となる排気ガスの排出基準、アンチロックブレーキシステム、エアバッグ、衝突安全ボディ、盗難防止装置等の自動車の機能上の装備を表示する装備表示と、磁性体とを有する装備表示駒と、
前記第一の色に対する補色等の、明度又は彩度の異なる第二の色に設定した割引対象装備表示駒設置欄と磁力とを有する表示ボードと、
から構成されることを特徴とする装備表示駒と表示ボードとの組合せ。
【請求項１５】
自動車保険の割引対象となる排気ガスの排出基準、アンチロックブレーキシステム、エアバッグ、衝突安全ボディ、盗難防止装置等の自動車の機能上の装備を表示する装備表示駒と、
前記装備表示駒を設置するための割引対象装備表示駒設置欄と、所定の角度に自立させるスタンドとを有する表示ボードと、
から構成されることを特徴とする装備表示駒と表示ボードとの組合せ。
【請求項１６】
自動車保険の割引対象となる排気ガスの排出基準、アンチロックブレーキシステム、エアバッグ、衝突安全ボディ、盗難防止装置等の自動車の機能上の装備を表示する装備表示と、磁力とを有する装備表示駒と、
前記装備表示駒を設置するための割引対象装備表示駒設置欄と、磁性体と、所定の角度に自立させるスタンドとを有する表示ボードと、
から構成されることを特徴とする装備表示駒と表示ボードとの組合せ。
【請求項１７】
自動車保険の割引対象となる排気ガスの排出基準、アンチロックブレーキシステム、エアバッグ、衝突安全ボディ、盗難防止装置等の自動車の機能上の装備を表示する装備表示と、磁性体とを有する装備表示駒と、
前記装備表示駒を設置するための割引対象装備表示駒設置欄と、磁力と、所定の角度に自立させるスタンドとを有する表示ボードと、
から構成されることを特徴とする装備表示駒と表示ボードとの組合せ。
【考案の詳細な説明】
【技術分野】
【０００１】
本考案は、自動車保険用の装備表示駒と表示ボードとの組合せに関する。
【背景技術】
【０００２】
従来、自動車販売店での自動車保険に関する情報の提供や案内は、自動車購入の契約時や自動車の納車の際等になされている。
【０００３】
また従来、自動車販売店での自動車保険に関する情報の提供や案内は、自動車保険のパンフレットと自動車のカタログとを用いてなされている。
【考案の開示】
【考案が解決しようとする課題】
【０００４】
ところが、従来自動車販売店で顧客が自動車を選ぶ際に、車種毎に異なる自動車保険に関する情報を提供しにくいという不具合を生じていた。
【０００５】
顧客が自動車保険に関する情報を得ようとする場合には、自動車の販売員に尋ねるか、一例の掲載されている保険のパンフレットで確認する他に手段がなかった。例えば、展示車と同種の自動車を購入した場合、どのような保険に加入できるか、また特に当該自動車にどのような保険の割引（安全性・環境性・防犯装置）が適用されるか、といった情報を顧客が得にくいという不具合を生じていた。
【０００６】
また、顧客から自動車保険の割引に関する質問があった場合、車種毎の保険料は保険のパンフレットに掲載されていないので、自動車の販売員が自動車のカタログで安全装備等を確認後、損害保険会社提供の「車両標準価格表」を用いて適用される割引を確認しなければならないという不具合を生じていた。
【０００７】
そこで本考案は上記従来の状況に鑑み、自動車保険の割引対象となる自動車の機能上の装備をまとめて表示する表示ボードを作成することによって、顧客が自動車を選ぶ際に、自動車の車種に応じて適用される自動車保険の割引等の情報を容易に得ることを可能とし、顧客のニーズに応えることが可能な装備表示駒と表示ボードとの組合せを提供することを目的としている。
【０００８】
また本考案は、自動車の販売員が、自動車保険に関して一から全ての説明をする作業や、保険のパンフレットと自動車のカタログを参酌して確認する作業を伴わずに、顧客が車種に応じた自動車保険の割引等の情報を予め得ることを可能とし、自動車保険の案内についての便利性を増して、漏れのない案内をすることが可能な装備表示駒と表示ボードとの組合せを提供することを目的としている。
【０００９】
また本考案は、顧客からの割引に関する質問があった場合であっても、自動車のカタログで安全装備等を確認後、損害保険会社提供の「車両標準価格表」を用いて割引を確認しなければならないという従来の自動車の販売員の作業を軽減することが可能な装備表示駒と表示ボードとの組合せを提供することを目的としている。
【００１０】
また本考案は、表示ボードに磁性紙を設置して、表示ボードに対する装備表示駒の着脱を容易にし、その装備表示駒の組替えを自在に行うことが可能な装備表示駒と表示ボードとの組合せを提供することを目的としている。
【００１１】
また本考案は、表示ボードの構造を簡単なものにして、自動車の販売員が自動車保険の表示ボードのレイアウト構成を容易に改良あるいは改善することが可能な装備表示駒と表示ボードとの組合せを提供することを目的としている。
【００１２】
また本考案は、保険だけでなく車両販売においても、保険の割引という視点から自動車の安全性・環境性をアピールでき、また保険という話題提供で車両商談がそのものについて膨らみを増し、その結果、商談の流れをスムーズにし車両商談を側面からフォローすることが可能な装備表示駒と表示ボードとの組合せを提供することを目的としている。
【課題を解決するための手段】
【００１３】
上記課題を解決するために本考案に係る装備表示駒と表示ボードとの組合せは、自動車保険の割引対象となる自動車の機能上の装備を表示する装備表示と磁力とを有する装備表示駒と、装備表示駒を設置するための割引対象装備表示駒設置欄と磁性体とを有する表示ボードとを備えたことを特徴とする。
【００１４】
また上記課題を解決するために本考案に係る装備表示駒と表示ボードとの組合せは、自動車保険の割引対象となる自動車の機能上の装備を表示する装備表示と該装備表示の裏面に設けた粘着面とを有する装備表示駒と、装備表示駒を設置するための装備表示駒設置欄を有する表示ボードとを備えたことを特徴とする。
【００１５】
また上記課題を解決するために本考案に係る装備表示駒と表示ボードとの組合せは、表示ボードの土台となる硬質のボードを備えたことを特徴とする。
【００１６】
また上記課題を解決するために本考案に係る装備表示駒と表示ボードとの組合せは、自動車保険の割引対象となる自動車の機能上の装備を表示する装備表示と磁力とを有する装備表示駒と、前記装備表示駒を設置するための割引対象装備表示駒設置欄部分に鉄系の鉱物等に代表される磁性体を織り込んだ磁性紙を有する表示ボードとを備えたことを特徴とする。
【００１７】
また上記課題を解決するために本考案に係る装備表示駒と表示ボードとの組合せは、自動車保険又は税制の割引対象となる自動車の機能上の装備を表示する装備表示と磁力とを有する装備表示駒と、装備表示駒を設置するための割引対象装備表示駒設置欄と税制の適用を表示する税制適用表示欄と磁性体とを有する表示ボードとを備えたことを特徴とする。
【００１８】
また上記課題を解決するために本考案に係る装備表示駒と表示ボードとの組合せは、表示ボードを一体化して覆うラミネート材を備えたことを特徴とする。
【００１９】
また上記課題を解決するために本考案に係る装備表示駒と表示ボードとの組合せは、第一の色に設定した装備表示駒であって自動車保険の割引対象となる自動車の機能上の装備を表示する装備表示と磁力とを有する装備表示駒と、前記第一の色に対する補色等の、明度又は彩度の異なる第二の色に設定した割引対象装備表示駒設置欄と磁性体とを有する表示ボードとを備えたことを特徴とする。
【００２０】
また上記課題を解決するために本考案に係る装備表示駒と表示ボードとの組合せは、表示ボードを所定の角度に自立させるスタンドを備えたことを特徴とする。
【考案の効果】
【００２１】
また本考案によれば、表示用紙の割引対象装備表示駒設置欄に磁性体を備え、装備表示駒に磁石を備えたので、表示ボードに対する装備表示駒の着脱が容易となる。また、自動車の機能上の装備に応じて装備表示駒の組替えも自在に行うことが可能となる。
【００２２】
また本考案によれば、表示ボードの土台に硬質のボードを備えたので、自動車保険の割引対象と自動車の機能上の装備との関連付けを、顧客に対して見易く表示することが可能となる。
【００２３】
本考案によれば、自動車保険の割引対象となる自動車の機能上の装備を表示する装備表示と該装備表示の裏面に設けた粘着面とを有する装備表示駒と、装備表示駒を設置するための装備表示駒設置欄を有する表示ボードとを備えたので、自動車保険の割引対象と自動車の機能上の装備を関連付けて表示することができる。したがって顧客は、自動車を選ぶ際に自動車の車種に応じて適用される自動車保険の割引等の情報を容易に得ることが可能となる。
【００２４】
また本考案によれば、自動車の販売員が、自動車保険に関して一から全ての説明をする作業や、一例の掲載されている保険のパンフレットで確認する作業を伴わなくても、顧客は車種に応じた自動車保険の割引等の情報を予め得ることが可能となり、自動車保険の案内についての便利性を増し、漏れのない案内をすることが可能となる。
【００２５】
また本考案によれば、顧客からの割引に関する質問があった場合であっても、自動車のカタログで安全装備等を確認後、損害保険会社提供の「車両標準価格表」を用いて割引を確認しなければならないという自動車の販売員の作業を軽減することが可能となる。
【００２６】
また本考案によれば、表示ボードの構造が簡単なので、レイアウト構成を改良あるいは改善する際に、新たに作成した表示用紙に容易に張り替えることができる。したがって、自動車の販売員が自動車保険の表示ボードのレイアウト構成を容易に改良あるいは改善することが可能となる。
【００２７】
また本考案によれば、保険だけでなく車両販売においても、保険の割引という視点から、自動車の安全性・環境性をアピールでき、また保険という話題提供で車両商談がそのものに膨らみを増し、その結果、商談の流れをスムーズにし車両商談を側面からフォローすることも可能となる。
【００２８】
また本考案によれば、表示ボードに税制適用表示欄を備えたので、車種に応じて優遇される税制の内容を顧客に通知することが可能となる。
【００２９】
また本考案によれば、表示ボードを一体化して覆うラミネート材を備えたので、長期にわたって表示ボードの表面を保護することが可能となる。
【００３０】
また本考案によれば、装備表示駒の色に対して割引対象装備表示駒設置欄の色を、補色等の明度又は彩度の異なる色に設定したので、自動車保険の割引対象と自動車の機能上の装備を見易く表示することが可能となる。
【００３１】
また本考案によれば、表示ボードを所定の角度に自立させるスタンドを備えたので、自動車保険の割引対象と自動車の機能上の装備との関連付けを、顧客に対して見易く表示することが可能となる。
【考案を実施するための最良の形態】
【００３２】
以下、本考案に係る装備表示駒と表示ボードとの組合せについて図を用いて説明する。
図１は、本考案に係る装備表示駒と表示ボードとの組合せの構造図である。
まず表示ボードＡについて説明する。表示ボードＡは、表示ボードＡの土台となる硬質のボード１０と、ボード１０に貼り付けて自動車保険のレイアウト表示面を構成する表示用紙１２と、磁性を有する鉄系の鉱物等に代表される磁性体を織り込んだ磁性紙１４と、ボード１０と表示用紙１２と磁性紙１４とを一体化して覆う透明なラミネート材１６とを備えている。
【００３３】
ボード１０は、例えば板厚７ｍｍ程度の硬質の発泡スチロールを用いた板状の品を用いる。またボード１０は、カラーボードを用いてもよく、自動車保険に関する案内や説明をするための活字、図形、線、記号を配列したものを予め印刷して用いてもよい。
【００３４】
表示用紙１２には、表示ボードＡが通知する内容を表した題名など表示する題名表示欄３０と、自動車保険又は税制の割引対象となる自動車の機能上の装備を表示する割引対象装備表示駒設置欄３２と、自動車保険の支払い方法、家族限定特約、ゴールド免許割引等を顧客に通知する支払方法等案内欄３４を設けてある。また表示用紙１２には、税制に関する表示欄を設けてもよい。表示用紙１２は、土台となるボード１０に貼り付けてある。
【００３５】
磁性紙１４は、磁性体としての機能を有する紙である。磁性紙１４は、表示用紙１２の上に貼り付けてもよいし、磁力線が透過しやすい薄板のボード１０の裏面（表示用紙１２とは反対側の裏面）に貼り付けてもよい。また紙に限定されるものではなく、磁性を有するステンレスの薄板又は箔等を用いてもよい。
【００３６】
ラミネート材１６は透明であり、裏面には粘着性を有する粘着面を有している。またラミネート材１６は、裏面に覆ったものに粘着して保護する機能を有する。なおラミネート材１６は、ボード１０と表紙用紙１２と磁性紙１４とを一体化して覆う。
【００３７】
次に装備表示駒Ｂについて図２を用いて説明する。
図２は、本考案に係る装備表示駒Ｂの構造図である。
装備表示駒Ｂは、磁力を有する磁石２０と、磁石２０に貼り付けて自動車保険の割引対象となる自動車の機能上の装備を表示するラベルシート２４とから構成されている。この装備表示駒Ｂは、自動車保険の割引対象となる自動車の機能上の装備の種類及び、表示ボードＡの数量に応じて複数個制作する。
【００３８】
磁石２０は、厚さ１ｍｍ程度の軟質のマグネットシートを用いている。また磁石２０には、硬質の磁石を用いてもよい。また装備表示駒Ｂは、磁性を有していれば平面的な形状に限られず、立体的な形状であってもよい。
【００３９】
ラベルシート２４は、表面が自動車保険の割引対象となる自動車の機能上の装備を表示する割引対象装備表示２２と、裏面の粘着面２３から構成されている。必要に応じて、割引対象装備表示２２の上からラミネートフィルムを貼る。
自動車保険の割引対象となる自動車の機能上の装備は、排気ガスの排出基準、アンチロックブレーキシステム、エアバッグ、衝突安全ボディ、盗難防止装置などである。またラベルシート２４の表面は、割引対象装備表示２２のみを構成するものに限られず、支払方法等案内欄３４に設置するための保険料や支払い方法等を表示するラベルシート２４を作成してもよい。
【００４０】
本考案に係る表示ボードＡの構成部品の作り方について図１を用いて説明する。
表示ボードＡの土台となるボード１０を作成するために、硬質の発泡スチロール板をＡ４乃至Ａ３程度の大きさに裁断する。
【００４１】
ボード１０に貼り付ける表示用紙１２を作成するために、ボード１０の大きさに合わせた用紙を準備する。表示用紙１２には、題名表示欄３０と、割引対象装備表示駒設置欄３２と、支払方法等案内欄３４とを設ける。また、税制の割引を表示する欄を設けても良い。
【００４２】
題名表示欄３０には、表示ボードＡが通知する内容の題名などの案内をレイアウトして印刷する。例えば題名表示欄３０には、図１に示すように「自動車保険もお得です！！」のように表示する。
【００４３】
割引対象装備表示駒設置欄３２には、「適用される割引」など、自動車保険の割引対象の表示をレイアウトして印刷する。
支払方法等案内欄３４には、自動車保険の支払い方法等の表示のレイアウトをして印刷する。
【００４４】
車種に応じて異なる磁石付の装備表示駒Ｂの着脱容易にするために、割引対象装備表示駒設置欄３２の表面には、割引対象装備表示駒設置欄３２の大きさに合わせて裁断した磁性紙１４を貼り付けておく。
【００４５】
表示ボードＡを組み立てる際には、先ず自動車保険に関する情報をレイアウト印刷した表示用紙１２をボード１０に貼り付ける。
次に、表示用紙１２の割引対象装備表示駒設置欄３２の表面に磁性紙１４を貼り付ける。次にラミネート材１６を用いて、ボード１０と表示用紙１２と磁性紙１４とを一体化して覆う。必要に応じて表示ボードＡの裏面にスタンドを接着して取り付ける。
【００４６】
次に、装備表示駒Ｂの作り方について図２を用いて説明する。
表示ボードＡの割引対象装備表示駒設置欄３２内に装備表示駒Ｂを設置するために、割引対象装備表示駒設置欄３２の大きさに合わせてマグネットシートを裁断し、磁石２０を作成する。
【００４７】
磁石２０に貼り付けるラベルシート２４は、磁石２０の大きさに合わせて制作する。自動車保険の割引対象となる自動車の機能上の装備に関する装備表示は、活字の大きさ、活字の種類や色等をデザインしてラベルシート２４上に印刷する。そして、磁石２０にラベルシート２４を貼り付ける。また必要に応じて、ラミネートフィルムを用いてラベルシート２４を一体化させて覆う。
【００４８】
上記の実施例では、表示ボードＡ側に磁性体を設けるとともに装備表示駒Ｂ側に磁石を設けた構成例で説明したが、本考案は上記実施例に限定されるものではなく、表示ボードＡ側に磁石を設けるとともに装備表示駒Ｂ側に磁性体を設ける構成としても本考案の目的を達成することが可能である。また、磁石を用いて着脱可能にする代わりに、付箋のような複数回貼り付け可能な粘着面を装備表示駒Ｂの裏面等に設けてもよい。
【００４９】
表示ボードＡと装備表示駒Ｂとを組合せて使用する場合には、図１に示すように表示用紙１２の割引対象装備表示駒設置欄３２に、割引対象の装備を表示した装備表示駒Ｂを設置する。これによって、自動車保険の割引対象となる自動車の機能上の装備を表示することが可能となる。したがって当該装備表示駒と表示ボードとの組合せを見た顧客は、自動車を選ぶ際に、自動車の車種に応じて適用される自動車保険の割引等の情報を容易に得ることができる。
【００５０】
また、自動車保険の割引対象と自動車の機能上の装備を見易く表示するために、表示用紙１２の題名表示欄３０、割引対象装備表示駒設置欄３２、支払方法等案内欄３４等の配色と、装備表示駒Ｂの配色について工夫するとよい。具体的には、割引対象装備表示駒設置欄３２の配色に対して装備表示駒Ｂの配色を補色にしたり、明度又は彩度の異なる色に設定するとよい。
【００５１】
例えば、割引対象装備表示駒設置欄３２を赤色に設定するとともに、割引対象装備表示駒設置欄３２に設置するための装備表示駒Ｂの活字等の表示色を赤色に設定してしまうと、一般的に装備表示駒Ｂに表示されている内容を認識しにくくなってしまう。したがって、割引対象装備表示駒設置欄３２を赤色に設定した場合には、装備表示駒Ｂの活字等の表示色を、割引対象装備表示駒設置欄３２の色に対して補色等の、明度又は彩度の異なる色、例えば青等に設定するように配慮する。
【００５２】
図３は、本考案に係る装備表示駒と表示ボードとの組合せの使用状態を示す図である。
自動車の販売員は、自動車販売店の各展示車両についてカタログ又は仕様書等を参酌しながら、自動車保険の割引対象となる自動車の機能上の装備の種類を調査する。例えば、展示車両αは、（１）超−低排出ガス適合車、（２）アンチロックブレーキシステム、（３）エアバッグ、（４）衝突安全ボディ、（５）盗難防止装置の５つの装備を備えているとする。その場合には、前記（１）〜（５）までの装備表示が印刷されている装備表示駒Ｂを準備し、展示車両α用に準備した表示ボードＡの割引対象装備表示駒設置欄３２に配置する。
【００５３】
一方展示車両βは、（１）良−低排出ガス適合車、（２）アンチロックブレーキシステム、（３）エアバッグの３つの装備を備えているとする。その場合には、前記（１）〜（３）までの装備表示が印刷されている装備表示駒Ｂを準備し、展示車両β用に準備した表示ボードＡの割引対象装備表示駒設置欄３２に配置する。
【００５４】
各車両毎に表示ボードＡと装備表示駒Ｂとの組合せが完成したら、図３に示すようにボードＡの裏面にスタンドを設けて、各車両のダッシュボード上に所定の角度をもって設置する。また、各車両のフロントガラスに上に設置したり、磁石を用いてフロントガラスに固定するようにしてもよい。
【００５５】
本考案に係る表示ボードＡと装備表示駒Ｂとの組合せを他の車両に適用する場合であっても、自動車の販売員は装備表示駒Ｂの置き換えを容易にすることができる。したがって、車両の売れ行き動向に合わせて装備表示駒Ｂを自在に組合せることが可能となる。また、表示ボードＡの表示用紙１２もレイアウト決定後に印刷出力すればよいので、作成しなおすことも容易である。
【００５６】
本考案に係る装備表示駒と表示ボードとの組合せを各車両に設置することによって、自動車保険の割引対象について他の車両との比較が容易となる。したがって自動車の販売員は、顧客に対する自動車保険の説明頻度を減少させることが可能となる。また、自動車のカタログと保険のパンフレットとを参酌しながら行なう保険料割引の確認作業を軽減させることが可能となる。
【００５７】
また本考案によれば、自動車の安全性や環境性を顧客にアピールできると同時に、保険の割引という話題を提供することが可能となる。その結果、商談の流れをスムーズにし車両商談を側面からフォローすることも可能となる。
【００５８】
図４は、本考案に係る装備表示駒と表示ボードとの組合せの他の実施例を示す図である。
図４に示すように、表示用紙１２’の割引対象装備表示駒設置欄３２’を表形式に構成して、自動車保険の割引を表示用紙１２’に印刷してもよい。
【００５９】
この場合には、磁性紙１４’を貼り付ける際に２通りの構造が考えられる。
第１の構造は、予め割引対象装備表示駒設置欄３２’の全体の大きさに合わせて磁性紙１４’を裁断し、割引対象装備表示駒設置欄３２’の裏面から磁性紙１４’をボード１０’に貼付ける構造である。
【００６０】
第２の構造は、割引対象装備表示駒設置欄３２’として印刷した表形式の各升目の大きさに合わせて裁断した磁性紙１４’を、表の升目の数と同数分準備し、表示用紙１２’の上から割引対象装備表示駒設置欄３２’の表内に磁性紙１４’を貼り付ける構造である。割引対象装備表示駒設置欄３２’を表形式に構成した場合には、割引対象装備表示２２を印刷していない無地のカラー磁石等を装備表示駒Ｂ’として用いることができる。この場合カラー磁石等の装備表示駒Ｂ’は、表示ボードＡ’と組み合わせることによって、自動車保険の割引対象となる自動車の機能上の装備を示すことが可能となる。
【産業上の利用可能性】
【００６１】
本考案によれば、自動車保険の割引対象と自動車の機能上の装備を関連付けて顧客に通知するので、顧客に環境や安全上の装備の充実した車両に関心を持ってもらうことが可能となる。したがって、安全な車両や環境に配慮した車両の販売を促進することが可能となるとともに、保険の販売を促進させることが可能となる。
【図面の簡単な説明】
【００６２】
【図１】本考案に係る装備表示駒と表示ボードとの組合せの構造図である。
【図２】本考案に係る装備表示駒の構造図である。
【図３】本考案に係る装備表示駒と表示ボードとの組合せの使用状態を示す図である。
【図４】本考案に係る装備表示駒と表示ボードとの組合せの他の実施例を示す図である。
【符号の説明】
【００６３】
１０…ボード
１２…表示用紙
１４…磁性紙
１６…ラミネート材
２０…磁石
２２…割引対象装備表示
２３…粘着面
２４…ラベルシート
３０…題名表示欄
３２…割引対象装備表示駒設置欄
３４…支払方法等案内欄
Ａ…表示ボード
Ｂ…装備表示駒
【図１】
0003103405.tif 000003
【図２】
0003103405.tif 000004
【図３】
0003103405.tif 000005
【図４】
0003103405.tif 000006